【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
ライセンス支援アクセス（ＬＡＡ）システムにおいてアップリンク送信を管理するための方法であって、
１つまたは複数の暗黙のアップリンクグラントを示す明示的なアップリンクグラントを、プライマリセルから、受信することと、
第１の時間スロットにおいて、前記明示的なアップリンクグラントに応答して第１のクリアチャネルアセスメント（ＣＣＡ）を実施することと、
前記第１のＣＣＡが成功する場合、アンライセンスまたは共有スペクトル上で、前記第１の時間スロットに後続する時間スロットにおいて、プロトコルデータユニット（ＰＤＵ）を、ＬＡＡセカンダリセルを介して、送信することと、
前記第１のＣＣＡが失敗する場合、
前記１つまたは複数の暗黙のアップリンクグラントに応答して、前記第１の時間スロットに後続する１つまたは複数の時間スロットにおいて、１つまたは複数の追加的なＣＣＡをそれぞれ連続的に実施することと、
前記アンライセンスまたは共有スペクトル上で、前記１つまたは複数の追加的なＣＣＡのうちの１つがそこにおいて成功する前記時間スロットに後続する時間スロットにおいて、前記ＰＤＵを、前記ＬＡＡセカンダリセルを介して、送信することと、
を備える、方法。
【請求項２】
前記１つまたは複数の追加的なＣＣＡの数は、前記１つまたは複数の暗黙のアップリンクグラントの数に等しい、請求項１に記載の方法。
【請求項３】
前記第１のＣＣＡを実施することは、拡張されたクリアチャネルアセスメント（ｅＣＣＡ）を実施することを備える、請求項１に記載の方法。
【請求項４】
前記１つまたは複数の追加的なＣＣＡを実施することは、１つまたは複数の拡張されたクリアチャネルアセスメント（ｅＣＣＡ）を実施することを備える、請求項１に記載の方法。
【請求項５】
前記ＰＤＵを送信することは、媒体アクセス制御（ＭＡＣ）ＰＤＵを送信することを備える、請求項１に記載の方法。
【請求項６】
前記アンライセンスまたは共有スペクトルは、５ＧＨｚバンドである、請求項１に記載の方法。
【請求項７】
請求項１〜６のうちのいずれか一項にしたがった方法を実施するための命令を備える、コンピュータプログラム。
【請求項８】
ライセンス支援アクセス（ＬＡＡ）システムにおいてアップリンク送信を管理するための装置であって、
１つまたは複数の暗黙のアップリンクグラントを示す明示的なアップリンクグラントを、プライマリセルから、受信するための手段と、
第１の時間スロットにおいて、前記明示的なアップリンクグラントに応答して第１のクリアチャネルアセスメント（ＣＣＡ）を実施するための手段と、
を備え、前記装置は、
前記第１のＣＣＡが成功する場合、アンライセンスまたは共有スペクトル上で、前記第１の時間スロットに後続する時間スロットにおいて、プロトコルデータユニット（ＰＤＵ）を、ＬＡＡセカンダリセルを介して、送信するための手段と、
前記第１のＣＣＡが失敗する場合、
前記１つまたは複数の暗黙のアップリンクグラントに応答して、前記第１の時間スロットに後続する１つまたは複数の時間スロットにおいて、１つまたは複数の追加的なＣＣＡをそれぞれ連続的に実施するための手段と、
前記アンライセンスまたは共有スペクトル上で、前記１つまたは複数の追加的なＣＣＡのうちの１つがそこにおいて成功する前記時間スロットに後続する時間スロットにおいて、前記ＰＤＵを、前記ＬＡＡセカンダリセルを介して、送信するための手段と、
をさらに備える、装置。
【請求項９】
前記１つまたは複数の追加的なＣＣＡの数は、前記１つまたは複数の暗黙のアップリンクグラントの数に等しい、請求項８に記載の装置。
【請求項１０】
前記第１のＣＣＡを前記実施するための手段は、拡張されたクリアチャネルアセスメント（ｅＣＣＡ）を実施するように適合される、請求項８に記載の装置。
【請求項１１】
前記１つまたは複数の追加的なＣＣＡを前記実施するための手段は、１つまたは複数の拡張されたクリアチャネルアセスメント（ｅＣＣＡ）を実施するようにさらに適合される、請求項８に記載の装置。
【請求項１２】
前記ＰＤＵを前記送信するための手段は、媒体アクセス制御（ＭＡＣ）ＰＤＵを送信するようにさらに適合される、請求項８に記載の装置。
【請求項１３】
前記アンライセンスまたは共有スペクトルは、５ＧＨｚバンドである、請求項８に記載の装置。
【手続補正２】
【補正対象書類名】明細書
【補正対象項目名】０１０５
【補正方法】変更
【補正の内容】
【０１０５】
[00121]  ここに説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリア周波数分割多元接続（ＳＣ−ＦＤＭＡ）、および他のシステムのような様々なワイヤレス通信システムのために使用され得る。「システム」および「ネットワーク」という用語は、しばしば交換可能に使用される。ＣＤＭＡシステムは、ＣＤＭＡ２０００、ユニバーサル地上波無線アクセス（ＵＴＲＡ）等のような無線技術をインプリメントし得る。ＣＤＭＡ２０００は、ＩＳ−２０００、ＩＳ−９５、ＩＳ−８５６規格をカバーする。ＩＳ−２０００リリース０およびＡは、通常ＣＤＭＡ２０００  １Ｘ、１Ｘ等と称される。ＩＳ−８５６（ＴＩＡ−８５６）は、通常ＣＤＭＡ２０００  １ｘＥＶ−ＤＯ、高レートパケットデータ（ＨＲＰＤ）等と称される。ＵＴＲＡは、ワイドバンドＣＤＭＡ（ＷＣＤＭＡ（登録商標））およびＣＤＭＡの他の変形を含む。ＴＤＭＡシステムは、移動体通信のためのグローバルシステム（ＧＳＭ（登録商標））のような無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ  ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ等のような無線技術をインプリメントし得る。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用するユニバーサルモバイル電気通信システム（ＵＭＴＳ）の新しいリリースである。ＵＴＲＡ、Ｅ−ＵＴＲＡ、ＵＭＴＳ、ＬＴＥ、ＬＴＥ−Ａ、および移動通信のためのグローバルシステム（ＧＳＭ）は、「第３世代パートナーシッププロジェクト」（３ＧＰＰ）と名付けられた組織からの文書に説明されている。ＣＤＭＡ２０００およびＵＭＢは、「第３世代パートナーシッププロジェクト２」（３ＧＰＰ２）と名付けられた組織からの文書に説明されている。ここに説明される技法は、上述されたシステムおよび無線技術、ならびに他のシステムおよび無線技術のために使用され得る。それらの技法はＬＴＥアプリケーションを超えて適用可能であるのだが、しかしながら上述の説明は、例示の目的でＬＴＥシステムを説明しており、上述の説明の大部分でＬＴＥ用語が使用される。
以下に本願の出願当初の特許請求の範囲に記載された発明を付記する。
［Ｃ１］
ライセンス支援アクセス（ＬＡＡ）システムにおいてアップリンク送信を管理するための方法であって、
１つまたは複数の暗黙のアップリンクグラントを示す明示的なアップリンクグラントを受信することと、
第１の時間スロットにおいて、前記明示的なアップリンクグラントに応答して第１のクリアチャネルアセスメント（ＣＣＡ）を実施することと、
前記第１のＣＣＡが成功する場合、アンライセンスまたは共有スペクトル上で、前記第１の時間スロットに後続する時間スロットにおいて、プロトコルデータユニット（ＰＤＵ）を送信することと、
前記第１のＣＣＡが失敗する場合、
前記１つまたは複数の暗黙のアップリンクグラントに応答して、前記第１の時間スロットに後続する１つまたは複数の時間スロットにおいて、１つまたは複数の追加的なＣＣＡをそれぞれ連続的に実施することと、
前記アンライセンスまたは共有スペクトル上で、前記１つまたは複数の追加的なＣＣＡのうちの１つがそこにおいて成功する前記時間スロットに後続する時間スロットにおいて、前記ＰＤＵを送信することと、
を備える、方法。
［Ｃ２］
前記１つまたは複数の追加的なＣＣＡの数は、前記１つまたは複数の暗黙のアップリンクグラントの数に等しい、Ｃ１に記載の方法。
［Ｃ３］
前記第１のＣＣＡを実施することは、拡張されたクリアチャネルアセスメント（ｅＣＣＡ）を実施することを備える、Ｃ１に記載の方法。
［Ｃ４］
前記１つまたは複数の追加的なＣＣＡを実施することは、１つまたは複数の拡張されたクリアチャネルアセスメント（ｅＣＣＡ）を実施することを備える、Ｃ１に記載の方法。
［Ｃ５］
前記明示的なアップリンクグラントを受信することは、プライマリセルから前記明示的なアップリンクグラントを受信することを備える、Ｃ１に記載の方法。
［Ｃ６］
前記ＰＤＵを送信することは、ＬＡＡセカンダリセルを介して前記ＰＤＵを送信することを備える、Ｃ１に記載の方法。
［Ｃ７］
前記ＰＤＵを送信することは、媒体アクセス制御（ＭＡＣ）ＰＤＵを送信することを備える、Ｃ１に記載の方法。
［Ｃ８］
前記アンライセンスまたは共有スペクトルは、５ＧＨｚバンドである、Ｃ１に記載の方法。
［Ｃ９］
ライセンス支援アクセス（ＬＡＡ）システムにおいてアップリンク送信を管理するための方法であって、
１つまたは複数の暗黙のアップリンクグラントを示す明示的なアップリンクグラントを受信することと、
第１の時間スロットにおいて、前記明示的なアップリンクグラントに応答して第１のクリアチャネルアセスメント（ＣＣＡ）を実施することと、
前記第１のＣＣＡが成功する場合、アンライセンスまたは共有スペクトル上で、前記第１の時間スロットに後続する時間スロットにおいて、プロトコルデータユニット（ＰＤＵ）のコピーをそれぞれ送信することと、ここにおいて、前記ＰＤＵの送信されるコピーの数は、前記１つまたは複数の暗黙のアップリンクグラントに少なくとも部分的に基づく、
を備える、方法。
［Ｃ１０］
前記第１のＣＣＡが失敗する場合、前記第１の時間スロットに後続する時間スロットにおいて、追加的なＣＣＡを実施することと、
前記追加的なＣＣＡが成功する場合、前記アンライセンスまたは共有スペクトル上で、前記追加的なＣＣＡがそこにおいて成功する時間スロットに後続する１つまたは複数の時間スロットにおいて、前記ＰＤＵの１つまたは複数のコピーをそれぞれ送信することと、
をさらに備える、Ｃ９に記載の方法。
［Ｃ１１］
複数の追加的なＣＣＡを、前記追加的なＣＣＡのうちの１つが成功するまで、または前記暗黙のアップリンクグラントが終了するまで、実施することをさらに備える、Ｃ１０に記載の方法。
［Ｃ１２］
前記ＰＤＵのコピーを送信することは、異なる冗長性情報を伴う前記ＰＤＵのコピーを送信することを備える、Ｃ９に記載の方法。
［Ｃ１３］
前記明示的なアップリンクグラントを受信することは、プライマリセルから前記明示的なアップリンクグラントを受信することを備える、Ｃ９に記載の方法。
［Ｃ１４］
前記ＰＤＵのコピーを送信することは、ＬＡＡセカンダリセルを介して前記ＰＤＵのコピーを送信することを備える、Ｃ９に記載の方法。
［Ｃ１５］
ライセンス支援アクセス（ＬＡＡ）システムにおいてアップリンク送信を管理するための方法であって、
第１のハイブリッド自動再送要求（ＨＡＲＱ）処理に関連する第１のプロトコルデータユニット（ＰＤＵ）の送信についての第１の明示的なアップリンクグラントを受信することと、
第２のＨＡＲＱ処理に関連する第２のＰＤＵの送信についての第２の明示的なアップリンクグラントを受信することと、前記第２の明示的なアップリンクグラントは、前記第１の明示的なアップリンクグラントに後続して受信される、
第１の時間スロットにおいて、前記第１の明示的なアップリンクグラントに応答して第１のクリアチャネルアセスメント（ＣＣＡ）を実施することと、
第２の時間スロットにおいて、前記第２の明示的なアップリンクグラントに応答して第２のＣＣＡを実施することと、
前記第１のＣＣＡが失敗し、かつ前記第２のＣＣＡが成功する場合、アンライセンスまたは共有スペクトル上で、前記第２のＨＡＲＱ処理に関連して、前記第２の時間スロットに後続する時間スロットにおいて、前記第１のＰＤＵを送信するかまたは前記第２のＰＤＵを送信するかを決定することと、
を備える、方法。
［Ｃ１６］
前記第１のＨＡＲＱ処理に関連する第１のＨＡＲＱバッファに、前記第１のＰＤＵを記憶することと、
前記第２のＨＡＲＱ処理に関連して前記第１のＰＤＵを送信するという成された決定に応答して、前記第１のＨＡＲＱバッファから前記第２のＨＡＲＱ処理に関連する第２のＨＡＲＱバッファに前記第１のＰＤＵを移動させることと、
をさらに備える、Ｃ１５に記載の方法。
［Ｃ１７］
前記第１のＰＤＵが前記第２のＨＡＲＱバッファに移動させられるとき、前記第１のＨＡＲＱバッファをクリアすることをさらに備える、Ｃ１６に記載の方法。
［Ｃ１８］
前記第２のＨＡＲＱ処理に関連して前記第２のＰＤＵを送信するという成された決定に応答して、ＭＡＣバッファから前記第２のＨＡＲＱ処理に関連する第２のＨＡＲＱバッファに、前記第２のＰＤＵを移動させることをさらに備える、Ｃ１５に記載の方法。
［Ｃ１９］
前記アンライセンスまたは共有スペクトル上で、前記第１のＰＤＵを送信するかまたは前記第２のＰＤＵを送信するかを決定することは、前記第１の明示的なグラントと前記第２の明示的なグラントとの間のサイズの差および／または送信時間の差に少なくとも部分的に基づく、Ｃ１５に記載の方法。
［Ｃ２０］
前記第１のまたは前記第２の明示的なアップリンクグラントを受信することは、プライマリセルから前記第１のまたは前記第２の明示的なアップリンクグラントを受信することを備える、Ｃ１５に記載の方法。
［Ｃ２１］
ライセンス支援アクセス（ＬＡＡ）システムにおいてアップリンク送信を管理するための装置であって、
命令を記憶するように構成されるメモリと、
前記メモリに結合された少なくとも１つのプロセッサとを備え、
前記少なくとも１つのプロセッサおよび前記メモリは、
１つまたは複数の暗黙のアップリンクグラントを示す明示的なアップリンクグラントを受信することと、
第１の時間スロットにおいて、前記明示的なアップリンクグラントに応答して第１のクリアチャネルアセスメント（ＣＣＡ）を実施することと、
前記第１のＣＣＡが成功する場合、アンライセンスまたは共有スペクトル上で、前記第１の時間スロットに後続する時間スロットにおいて、プロトコルデータユニット（ＰＤＵ）の１つまたは複数のコピーをそれぞれ送信することと、ここにおいて、前記ＰＤＵの送信されるコピーの数は、前記１つまたは複数の暗黙のアップリンクグラントに少なくとも部分的に基づく、
を行うための前記命令を実行するように構成される、装置。
［Ｃ２２］
前記少なくとも１つのプロセッサおよび前記メモリは、
前記第１のＣＣＡが失敗する場合、前記第１の時間スロットに後続して追加的なＣＣＡを実施することと、
前記追加的なＣＣＡが成功する場合、前記アンライセンスまたは共有スペクトル上で、前記追加的なＣＣＡがそこにおいて成功する時間スロットに後続する１つまたは複数の時間スロットにおいて、前記ＰＤＵの１つまたは複数のコピーをそれぞれ送信することと、
を行うための前記命令を実行するようにさらに構成される、Ｃ２１に記載の装置。
［Ｃ２３］
前記少なくとも１つのプロセッサおよび前記メモリは、複数の追加的なＣＣＡを、前記追加的なＣＣＡのうちの１つが成功するまで、または前記暗黙のアップリンクグラントが終了するまで、実施するための前記命令を実行するようにさらに構成される、Ｃ２２に記載の装置。
［Ｃ２４］
前記少なくとも１つのプロセッサおよび前記メモリは、異なる冗長性情報を伴う前記ＰＤＵの前記１つまたは複数のコピーを送信するための前記命令を実行するようにさらに構成される、Ｃ２１に記載の装置。
［Ｃ２５］
前記少なくとも１つのプロセッサおよび前記メモリは、プライマリセルから前記明示的なアップリンクグラントを受信するための前記命令を実行するようにさらに構成される、Ｃ２１に記載の装置。
［Ｃ２６］
前記少なくとも１つのプロセッサおよび前記メモリは、ＬＡＡセカンダリセルを介して前記ＰＤＵの前記１つまたは複数のコピーを送信するための前記命令を実行するようにさらに構成される、Ｃ２１に記載の装置。